(57)【特許請求の範囲】
【請求項１】
予め製作されかつ作業現場に搬送されると共に目地部を介在させて互いに隣接・配置された下鋼板付プレキャスト床版でなり、該プレキャスト床版に高力ボルト用ナットを備え、該プレキャスト床版の左端及び／又は右端から所定長さ及び所定幅を形成してその上面形状が矩形状及び垂直断面形状が略Ｌ字状に形成された横溝部と縦溝部とでなる溝部を有し、該横溝部は前記プレキャスト床版の上面から所定深さＤ１に設定され、該縦溝部は該溝部の最奥部壁面から所定幅長Ｄ２を有して設定された構成に於いて、前記溝部に挿置されかつ前記目地部及び前記溝部に充填材を充填して固定・配置された略コ字状継手であって、その両端部が下鋼板に固定用ナットで前記溝部内に略コ字状継手の水平部の下面と該横溝部の底面との間に空間長Ｄ３を設定して固定されると共に前記高力ボルト用ナットに締付ける高力ボルトで添接板を前記隣接配置された下鋼板に連結したことを特徴とする橋梁に於けるプレキャスト床版の継手。
【請求項２】
予め製作されかつ作業現場に搬送されると共に目地部を介在させて互いに隣接・配置された下鋼板付プレキャスト床版でなり、該プレキャスト床版に高力ボルト用ナットを備え、該プレキャスト床版の左端及び／又は右端から所定長さ及び所定幅を形成してその上面形状が矩形状及び垂直断面形状が略Ｌ字状に形成された横溝部と縦溝部とでなる溝部を有し、該横溝部は前記プレキャスト床版の上面から所定深さＤ１に設定され、該縦溝部は該溝部の最奥部壁面から所定幅長Ｄ２を有して設定された構成に於いて、前記溝部に挿置されかつ前記目地部及び前記溝部に充填材を充填して固定・配置された略コ字状継手であって、その両端部が前記縦溝部に挿置されて前記溝部内に略コ字状継手の水平部の下面と該横溝部の底面との間に空間長Ｄ３が設定されると共に前記高力ボルト用ナットに締付ける高力ボルトで添接板を前記隣接配置された下鋼板に連結したことを特徴とする橋梁に於けるプレキャスト床版の継手。
【発明の詳細な説明】
【技術分野】
【０００１】
本発明は、橋梁に設置する主桁に直交して配置・固定した各プレキャスト床版を連結固定するために使用する橋梁に於けるプレキャスト床版の継手に関する。
【背景技術】
【０００２】
従来、この種、橋梁に設置するプレキャスト床版の第１の例としては図８に示す構成であった。これについて説明すれば、１は橋梁の一部を構成する主桁であり、複数個を橋脚（図示せず）あるいは橋台（図示せず）の上部に設置されている。２はプレキャスト床版であり該主桁１に直交してその上部に配置・固定する。該プレキャスト床版２はその各個はパネル状であって例えば横長が２（ｍ）、縦長が１１（ｍ）程度の略矩形で構成されており、その内部に於いて縦方向に主鉄筋（図示せず）を横方向に前記主鉄筋に接触させて配力鉄筋３を配置してなる。そして図８から分るように該配力鉄筋３の左右端部、つまり、プレキャスト床版２から外部に突出させた端部３ａ、３ｂは図８のＰ２部分を拡大した図９に示すように重合わせて隣接するプレキャスト床版２、２の壁面２ａに対向配置するか衝当して設置して設置する。ここでプレキャスト床版２を主桁１の上部にかつその横長方向に隣接・固定する場合、該プレキャスト床版２の隣接相互間Ｓ１の幅長は図９に示すように例えば約３０ないし４０（ｃｍ）程度であっていわゆる目地部４を確保し、この目地部４に現場打ちコンクリートを投入、充填する。該目地部４の底面は鋼製の添接板５を高力ボルト（図示せず）等で固定している。
【０００３】
次にプレキャスト床版の継手に於ける第２の例としては図１０（ａ）、（ｂ）に示す特開２０００−２４０２０５号公開特許公報に開示した技術がある。これについて説明すれば、６はＰＣ床版（プレキャスト床版）であり、内部にループ鉄筋７が埋設されている。このループ鉄筋７は、ＰＣ床版６の接合目地部８に張り出す通し部７ａがＰＣ床版６の表裏面方向に開口するように、ＰＣ床版６の幅方向例えば５箇所に例えば３段ずつ配置されている。ＰＣ床版６の継手はＰＣ床版６に埋設するループ鉄筋７を上記したように配置し、ＰＣ床版６の幅方向に配置したループ鉄筋７の通し部７ａに接合用部材を鉛直方向に挿入する構造である。接合用部材としては、図１０（ｂ）に示すように、鉛直筋９を採用したものを示している。先ず、ＰＣ床版６をクレーンを用いて主桁１０上に降ろす。この時一方のＰＣ床版６と他方のＰＣ床版６は、ループ鉄筋７の間隔だけＰＣ床版６の幅方向（橋軸と直角方向）にずらせておく。次に、一方のＰＣ床版６を他方のＰＣ床版６の方向に接近移動させ、一方のＰＣ床版６と他方のＰＣ床版６を接合させる。次に一方のＰＣ床版６を幅方向に前記間隔だけ移動させる。次に、一方のＰＣ床版６のループ鉄筋７の通し部７ａと、他方のＰＣ床版６のループ鉄筋７の通し部７ａとで形成された環状内に鉛直筋９を挿入し、この継手部すなわちＰＣ床版６の接合目地部８にコンクリート１１を打設すれば、施工が完了する。
【先行技術文献】
【特許文献】
【０００４】
【特許文献１】特開２０００−２４０２０５号公開特許公報
【発明の概要】
【発明が解決しようとする課題】
【０００５】
従来の技術は叙上した構成であるので次の課題が存在した。すなわち先ず第１の例によればプレキャスト床版２の横方向の隣接相互間Ｓ１、いわゆる目地部４の幅長が長く（目地部幅が広く）これに投入・充填するコンクリート量が多量である上に工期完了まで長期に渉るという問題点があった。また、プレキャスト床版２に配設する主鉄筋や配力鉄筋の長さが長くなりプレキャスト床版２の製作工数及び材料費が累むうえに工期が長くなる要因でもあった。
次に第２の例によれば、一方、他方の床版６、６の接合目地部８、８から突出するループ鉄筋７、７が複雑であり、かつ該ループ鉄筋７、７に通し部７ａを確保する形状を成形する上にこの通し部７ａに別異の鉛直筋９を挿入しなければならない技術であり、ＰＣ床版を構成する鉄筋等の部材が成形加工及び配筋作業が複雑かつ増大し工期が長期に渉るという弊害があった。そして接合目地部８、８の相互間の幅長も長く、これに打設するコンクリート１１も増大するという問題点も存在した。
【課題を解決するための手段】
【０００６】
本発明に係る橋梁に於けるプレキャスト床版の継手は、プレキャスト床版の左端又は右端側に矩形状であって所定幅及び垂直断面形状が横溝部と縦溝部で構成される箱抜部又は溝部を形成し、隣接配置する各プレキャスト床版に形成した各々の箱抜部又は溝部を対向配置し、この箱抜部又は溝部内に所定の形状・構造の継手を嵌挿した後にこの箱抜部又は溝部に無収縮モルタル等の充填材を充填する技術を提供することにより、目地部を極めて幅狭にし充填材すなわち無収縮モルタルや樹脂系充填材料等の量を低減すると共に工期を短縮することを目的として発明したものであって次の構成から成立する。
【０００７】
請求項１に記載の発明によれば、予め製作されかつ作業現場に搬送されると共に目地部を介在させて互いに隣接・配置された下鋼板付プレキャスト床版でなり、該プレキャスト床版に高力ボルト用ナットを備え、該プレキャスト床版の左端及び／又は右端から所定長さ及び所定幅を形成してその上面形状が矩形状及び垂直断面形状が略Ｌ字状に形成された横溝部と縦溝部とでなる溝部を有し、該横溝部は前記プレキャスト床版の上面から所定深さＤ１に設定され、該縦溝部は該溝部の最奥部壁面から所定幅長Ｄ２を有して設定された構成に於いて、前記溝部に挿置されかつ前記目地部及び前記溝部に充填材を充填して固定・配置された略コ字状継手であって、その両端部が下鋼板に固定用ナットで前記溝部内に略コ字状継手の水平部の下面と該横溝部の底面との間に空間長Ｄ３を設定して固定されると共に前記高力ボルト用ナットに締付ける高力ボルトで添接板を前記隣接配置された下鋼板に連結したことを特徴とする。
【０００８】
請求項２に記載の発明によれば、予め製作されかつ作業現場に搬送されると共に目地部を介在させて互いに隣接・配置された下鋼板付プレキャスト床版でなり、該プレキャスト床版に高力ボルト用ナットを備え、該プレキャスト床版の左端及び／又は右端から所定長さ及び所定幅を形成してその上面形状が矩形状及び垂直断面形状が略Ｌ字状に形成された横溝部と縦溝部とでなる溝部を有し、該横溝部は前記プレキャスト床版の上面から所定深さＤ１に設定され、該縦溝部は該溝部の最奥部壁面から所定幅長Ｄ２を有して設定された構成に於いて、前記溝部に挿置されかつ前記目地部及び前記溝部に充填材を充填して固定・配置された略コ字状継手であって、その両端部が前記縦溝部に挿置されて前記溝部内に略コ字状継手の水平部の下面と該横溝部の底面との間に空間長Ｄ３が設定されると共に前記高力ボルト用ナットに締付ける高力ボルトで添接板を前記隣接配置された下鋼板に連結したことを特徴とする。
【発明の効果】
【０００９】
本発明に係る橋梁に於けるプレキャスト床版の継手は叙上した構成、作用を有するので、次の効果がある。
【００１０】
請求項１に記載の発明によれば、予め製作されかつ作業現場に搬送されると共に目地部を介在させて互いに隣接・配置された下鋼板付プレキャスト床版でなり、該プレキャスト床版に高力ボルト用ナットを備え、該プレキャスト床版の左端及び／又は右端から所定長さ及び所定幅を形成してその上面形状が矩形状及び垂直断面形状が略Ｌ字状に形成された横溝部と縦溝部とでなる溝部を有し、該横溝部は前記プレキャスト床版の上面から所定深さＤ１に設定され、該縦溝部は該溝部の最奥部壁面から所定幅長Ｄ２を有して設定された構成に於いて、前記溝部に挿置されかつ前記目地部及び前記溝部に充填材を充填して固定・配置された略コ字状継手であって、その両端部が下鋼板に固定用ナットで前記溝部内に略コ字状継手の水平部の下面と該横溝部の底面との間に空間長Ｄ３を設定して固定されると共に前記高力ボルト用ナットに締付ける高力ボルトで添接板を前記隣接配置された下鋼板に連結したことを特徴とする橋梁に於けるプレキャスト床版の継手を提供する。
このような構成としたので、プレキャスト床版を製作する工場等に於いて継手を挿置する溝部を予め形成しておくことができるので天候に左右されず雨天であっても高品質なプレキャスト床版を製作することができ、予め製作したプレキャスト床版はプレキャスト床版同士を固定するための多種の鉄筋が露出していないので降雨等に於いては現場作業であっても該鉄筋が発錆することなく屋外に仮置きしておくことができ、プレキャスト床版の施工現場に於いてはプレキャスト床版を列設する際、添接板の取付けや略コ字状継手を挿置すること及び固定用ナットを略コ字状継手にねじ締めすることが容易にできるうえに、溝部及び目地部へ迅速に充填材すなわち無収縮モルタルや各種充填材を注入・充填して施工を完成することができるので、工期を大幅に短縮することができる。また目地部が幅狭であり高価な無収縮モルタルや各種充填材の使用量を削減できるという効果がある。加えて、略コ字状継手の水平部の下面と該横溝部の底面との間に空間長Ｄ３を設定したので略コ字状継手の下面に充填した無収縮モルタルや各種充填材が充分に這込み継手を溝部内に強固に固定することができるという効果がある。
【００１１】
請求項２に記載の発明によれば、予め製作されかつ作業現場に搬送されると共に目地部を介在させて互いに隣接・配置された下鋼板付プレキャスト床版でなり、該プレキャスト床版に高力ボルト用ナットを備え、該プレキャスト床版の左端及び／又は右端から所定長さ及び所定幅を形成してその上面形状が矩形状及び垂直断面形状が略Ｌ字状に形成された横溝部と縦溝部とでなる溝部を有し、該横溝部は前記プレキャスト床版の上面から所定深さＤ１に設定され、該縦溝部は該溝部の最奥部壁面から所定幅長Ｄ２を有して設定された構成に於いて、前記溝部に挿置されかつ前記目地部及び前記溝部に充填材を充填して固定・配置された略コ字状継手であって、その両端部が前記縦溝部に挿置されて前記溝部内に略コ字状継手の水平部の下面と該横溝部の底面との間に空間長Ｄ３が設定されると共に前記高力ボルト用ナットに締付ける高力ボルトで添接板を前記隣接配置された下鋼板に連結したことを特徴とする橋梁に於けるプレキャスト床版の継手を提供する。
このような構成としたので、請求項１に記載の効果に加えて前記略コ字状継手の両端部が下鋼板に衝当したときは前記空間長Ｄ３を設定することができかつ略コ字状継手の両端部を固定用ナットを使用することなく迅速に略Ｌ字状溝部に挿置し固定することができるという効果がある。
【図面の簡単な説明】
【００１２】
【図１】本発明に係る橋梁に於けるプレキャスト床版の継手の実施の形態を示す図面であって、橋梁に設置した主桁の上部に配置・固定したプレキャスト床版の要部を示す平面図である。
【図２】図１の矢視Ａ−Ａ線方向の断面図であって、溝部に無収縮モルタルを充填した状態を示す図面である。
【図３】図１の矢視Ｂ−Ｂ線方向の断面図である。
【図４】本明に係る橋梁に於けるプレキャスト床版の継手であって、その拡大正面図である。
【図５】本発明に係る橋梁に於けるプレキャスト床版の継手の組立手順を示す概要図である。
【図６】図５のＰ１部分を拡大した斜視図である。
【図７】本発明に係る橋梁に於けるプレキャスト床版の継手の実施例を示す要部拡大断面図である。
【図８】従来の技術において橋梁に於けるプレキャスト床版の組立手順の第１の例を示す概要図である。
【図９】図８のＰ２部分を拡大した斜視図である。
【図１０】従来の技術において橋梁に於けるプレキャスト床版の組立手順の第２の例を示す概要図であって、（ａ）は全体構成図、（ｂ）はプレキャスト床版の目地部の部分拡大斜視図である。
【発明を実施するための形態】
【００１３】
以下、本発明に係る橋梁に於けるプレキャスト床版の継手についてその実施の形態を図１ないし図６に基づき説明する。
【００１４】
図１は橋梁に設置した主桁の上部に配置・固定したプレキャスト床版（以下「ＰＣ床版」という）の要部を示す平面図である。図２は図１の矢視Ａ−Ａ線方向の断面図である。図３は図１の矢視Ｂ−Ｂ線方向の断面図である。図４は本明に係る橋梁に於けるプレキャスト床版の継手であって、その拡大正面図である。図５は本発明に係る橋梁に於けるプレキャスト床版の継手の組立手順を示す概要図である。図６は図５のＰ１部分を拡大した斜視図である。
【００１５】
１２は橋梁に設置した主桁１３ａの上部に配置・固定したＰＣ床版である。該ＰＣ床版１２は予め型枠にコンクリートを打込んで製作した床版であって現場作業が大幅に省力化でき、工期短縮を図れる。そして該ＰＣ床版１２には図５に示すように連続して橋脚上に配置した主桁１３ａ、１３ａ・・・に直交してその上部に配置・固定する。該ＰＣ床版１２はその各個はパネル状であって例えば横長が２（ｍ）、縦長が１１（ｍ）程度の略矩形で構成されており、その内部に於いて縦方向に主鉄筋（図示せず）を横方向に前記主鉄筋に接触させて配力鉄筋（図示せず）を配置してなる。
【００１６】
前記各ＰＣ床版１２の左端１２ａ及び／又は右端１２ｂからその上面形状は矩形状であって所定長さＳ１及び所定幅Ｓ２の溝部１３を形成する。この溝部１３は横溝部１３Ａと縦溝部１３Ｂからなり、いわゆる箱抜部と称する。そして後述するがこの溝部は工場等に於いて溝部を形成するための型枠材を使用し、各種のコンクリートを打設した後に当該型枠材を脱型して形成する。この各ＰＣ床版１２は所定幅長Ｗ（横長）と所定長Ｌ（縦長）を有する略矩形体で構成されている。具体的には図５に示す所定幅長Ｗは２（ｍ）、所定長Ｌは１１（ｍ）程度である。そして前記溝部１３は各ＰＣ床版１２の所定長Ｌ方向に所定間隔Ｌ１例えば３０（ｃｍ）毎に形成される。左・右ＰＣ床版１２、１２（一方、他方のＰＣ床版）間は目地部１４であってその寸法は２（ｃｍ）程度で極めて幅狭に設計している。
【００１７】
前記ＰＣ床版１２に形成された各溝部１３は垂直断面形状が図２に示すように略Ｌ字状に形成され横溝部１３Ａと縦溝部１３Ｂとでなり、該横溝部１３Ａは前記ＰＣ床版１２の上面１２ｃから所定深さＤ１に設定される。ここで所定深さＤ１は６（ｃｍ）程度である。また該縦溝部１３Ｂは該溝部１３の最奥部壁面１２ｄから所定幅長Ｄ２を有して設定されている。ここで所定幅長Ｄ２は３（ｃｍ）程度である。
尚、横溝部１３Ａと縦溝部１３Ｂとの接合部分に於けるＰＣ床版１２の溝部１３部分の斜面部１２ｆを形成し略コ字状継手１５を挿置し易く設定している。
【００１８】
１５は図４に示すように略コ字状継手であって例えばＪＩＳ−Ｇ３１１２に規定される鉄筋コンクリート用棒鋼で製作され直径は１３（ｍｍ）程度の断面形状が略真円形でなる。そして両端部１５ａ、１５ｂはねじ部１５ｃを刻設してあり前記ＰＣ床版１２の下面に配置した下鋼板１６に固定用ナット１８でねじ止め固定される。該略コ字状継手１５は水平部１５Ａと垂直部１５Ｂとで構成される。ここで前記水平部１５Ａは４０〜６０（ｃｍ）、前記垂直部１５Ｂは１１〜１５（ｃｍ）程度に設定する。また、前記水平部１５Ａと前記垂直部１５Ｂとの交差部位は図示すように円弧状を形成し、この円弧は例えばその半径が３〜４（ｃｍ）程度に設定する。
【００１９】
そして該略コ字状継手１５を前記溝部１３に図２に示すように挿置する。この場合、該略コ字状継手１５の水平部１５ＡはＰＣ床版１２に形成された横溝部１３Ａの底面、つまり該ＰＣ床版１２の横溝部分の上面１２ｅに接触することなく挿置する。そこで該略コ字状継手１５の水平部１５Ａの下方に空間長Ｄ３を形成し、この空間Ｄ３にも充填材２０すなわち無収縮モルタルや樹脂系充填材料が這込むように構成する。この充填材２０はセメントモルタル、エポキシ樹脂等の各種充填材も適用できる。このことから略コ字状継手１５の下面と充填材２０とが充分に接合し該略コ字状継手１５を強固に固定することができる。ここで空間長Ｄ３は該略コ字状継手１５の水平部１５Ａ下面と該ＰＣ床版１２の横溝部分の上面１２ｅとの空間距離である。空間長Ｄ３の長さは２〜３（ｃｍ）程度に設定する。１７は添接板であって、前記下鋼板１６の下面に固定するものであって特に目地部１４部分に於ける下鋼板１６の下面に例えば図３に示す高力ボルト用ナット１９Ａ及び径長４〜６（ｃｍ）程度の高力ボルト１９で固定する。この高力ボルト用ナット１９Ａは目地部１４を介在して左・右に及びＰＣ床版１２の縦長Ｌ方向に所定間隔に多数個を工場等で予めＰＣ床版１２に設けてあり、図１の破線で示すように固定される。
【００２０】
次に、本発明に係る橋梁に於けるプレキャスト床版の継手の実施の形態に基づいてその組立手順（工法）を説明する。
先ず工場等に於いて前述したＰＣ床版１２の各々を製作する。そして具体的にはこのＰＣ床版１２、１２・・・は下鋼板１６の上面であって縦長方向に配置した多数個の主鉄筋とこれに直交しかつ該主鉄筋に接触させて配置された配力鉄筋とでなる骨組構成上にコンクリートを流動させ、所定時間後に固定してなるものでそれぞれがパネル状であって横長が２（ｍ）、縦長が１１（ｍ）程度でなる矩形体である。また、前記ＰＣ床版１２を製作する際、その下側に突起を設けこれを所定間隔に突合せ配力鉄筋の及び内側に補強鉄筋を挿入した後、早強コンクリート又は膨張コンクリートを打設して一体化形成することもできる。そして早強コンクリートを用いたときはその設定基準強度は３０〜５０Ｎ／ｍｍ２程度に設定される。尚、ＰＣ床版１２を製作する際、高力ボルト１９を挿置するための高力ボルト用ナット１９Ａも一緒にコンクリートに固定する。
【００２１】
次に、工場等に於いて製作されたＰＣ床版１２は工場等にて図１に示すように前記各ＰＣ床版１２の左端１２ａ及び／又は右端１２ｂからその上面形状は矩形状であって所定長さＳ１及び所定幅Ｓ２の溝部１３を形成する。すなわちこの溝部は工場等に於いて溝部を形成するための型枠材を使用し、各種のコンクリートを打設した後に当該型枠材を脱型して形成する。そして前記ＰＣ床版１２に形成された各溝部１３は垂直断面形状が図２に示すように略Ｌ字状に形成され横溝部１３Ａと縦溝部１３Ｂとでなり、該横溝部１３Ａは前記ＰＣ床版１２の上面１２ｃから所定深さＤ１に設定製作される。ここで所定深さＤ１は６（ｃｍ）程度に形成する。また該縦溝部１３Ｂは該溝部１３の最奥部壁面１２ｄから所定幅長Ｄ２を有して３（ｃｍ）程度に形成する。そしてこの溝部１３に充填材２０すなわち無収縮モルタル等を現場にて充填した際、溝部１３内に於ける完全な充填性を保持し略コ字状継手１５が溝部１３内に納まるように構成する。このときＰＣ床版１２の底面に下鋼板１６も同時に固定・配置する。そこでＰＣ床版１２は鋼板付プレキャスト床版となる。
【００２２】
工場等で予め製作されたＰＣ床版１２は輸送車両や運搬機、クレーン等で現場に搬送され図５に示すように橋軸すなわち主桁の長さ方向に順次列設され複数個の主桁１３ａ、１３ａ・・・に直交して載置する。そこで互いに隣接して配置されたＰＣ床版１２、１２は一方、他方のＰＣ床版であって図１に示すように目地部１４を介在させて固定する。次に工場等で製作された添接板１７を現場まで搬送し該目地部１４部分の下面であってＰＣ床版１２、１２の底面に存在する下鋼板１６の下面に図３に示すように当接する。この際該添接板１７は予め工場等で前記高力ボルト１９が嵌め込まれる高力ボルト挿入孔（図示せず）がその長さ方向に適宜間隔を有して孔明してある。そこで高力ボルト１９を高力ボルト用ナット１９Ａに締め付け添接板１７を下方から相互隣接配置した下鋼板１６、１６の下面に堅固に固着させる。そこで目地部１４を境にして左・右の下鋼板１６、１６同士を添接板１７で固定・連結する。ここで下鋼板付プレキャスト床版が成立する。さらに，添接板１７は底面の型枠となる。次に作業者は隣接するＰＣ床版１２、１２に形成した溝部１３の中に図２に示すように空間Ｄ３を確保しつつ略コ字状継手１５を図２に示すように挿置する。略コ字状継手１５に於ける両端部１５ａ、１５ｂのねじ部１５ｃをそれぞれ固定用ナット１８で締め付け下鋼板１６に固定する。この際、略コ字状継手１５の水平部１５Ａの下方に空間長Ｄ３を形成し、この空間Ｄ３にも充填材２０すなわち無収縮モルタル等が這込むように構成して固定する。そして略コ字状継手１５を挿置された状態で溝部１３及び目地部１４へ充填材２０を注入・充填する。このときＰＣ床版１２の溝部１３に斜面部１２ｆを形成したので充填材２０が溝部１３の底部まで円滑に流動して充填される。該充填材２０は３〜４時間程度で固化し、ＰＣ床版１２、１２の相互間は完全にシールされる。尚、充填材２０として使用する無収縮モルタルに替えて、初期強度の発現性に優れる樹脂モルタルを用いてさらに工期短縮を図ることもできる。
【実施例】
【００２３】
次に、本発明に係る橋梁に於けるプレキャスト床版の継手の実施例を図７に基づいて説明する。図７に示す略コ字状継手１５Ｃはその両端部１５ａ、１５ｂにねじ部１５ｃを形成していない点が前述した図４に示すものと相異しており、ほかの構成部材は略同一である。該実施例に於ける略コ字状継手１５Ｃは、その両端部１５ａ、１５ｂが溝部１３の縦溝部１３Ｂの中に挿置する。そして例えば両端部１５ａ、１５ｂが下鋼板１６の上面に衝当した構成にすれば該両端部１５ａ、１５ｂが規制され空間Ｄ３が確保される。この場合、下鋼板１６は略コ字状継手１５Ｃのストッパとしての機能を有する。また両端部１５ａ、１５ｂが下鋼板１６に衝当させず離間した構成にしてもよい。本実施例は固定ナット１８を不要とするばかりか略コ字状継手１５Ｃの両端部１５ａ、１５ｂの寸法を短く設定でき製作性がよいという作用がある。本発明に係る橋梁に於けるプレキャスト床版の継手の実施例に於けるほかの構成要素及び組立手順（工法）は前述した実施の形態で述べた場合と同一であり同一番号を付しその説明を省略する。
【産業上の利用可能性】
【００２４】
本発明に係る橋梁に於けるプレキャスト床版の継手は、鋼道路橋や橋梁に於けるプレキャスト床版のほかハーフプレキャスト床版及びプレストレスコンクリート床版等各種の床版にも適用できる。
【符号の説明】
【００２５】
１２        プレキャスト床版（ＰＣ床版）
１２ａ      プレキャスト床版（ＰＣ床版）の左端
１２ｂ      プレキャスト床版（ＰＣ床版）の右端
１２ｃ      プレキャスト床版（ＰＣ床版）の上面
１２ｄ      溝部の最奥部壁面
１２ｅ      プレキャスト床版の溝部分の上面
１２ｆ      プレキャスト床版の溝部分の斜面部
１３        溝部
１３Ａ      横溝部
１３Ｂ      縦溝部
１３ａ      主桁
１４        目地部
１５        略コ字状継手
１５Ａ      略コ字状継手の水平部
１５Ｂ      略コ字状継手の垂直部
１５Ｃ      略コ字状継手
１５ａ      略コ字状継手の端部
１５ｂ      略コ字状継手の端部
１５ｃ      ねじ部
１６        下鋼板
１７        添接板
１８        固定用ナット
１９        高力ボルト
１９Ａ      高力ボルト用ナット
２０        各種充填材（無収縮モルタル等）
【図１】
0005386379.tif 000002
【図２】
0005386379.tif 000003
【図３】
0005386379.tif 000004
【図４】
0005386379.tif 000005
【図５】
0005386379.tif 000006
【図６】
0005386379.tif 000007
【図７】
0005386379.tif 000008
【図８】
0005386379.tif 000009
【図９】
0005386379.tif 000010
【図１０】
0005386379.tif 000011